(57)【特許請求の範囲】
【請求項１】
底板と、
前記底板に取り付けられる右壁及び左壁と、
前記底板に取り付けられる背板と、
前記右壁、前記左壁、および前記背板を上方から支持する天板と、
を備え、
前記背板は、
下部を前記底板と係合させる第一の態様と、
上部を前記底板と係合させる第二の態様と、
の両方で前記底板に取り付け可能に構成され、
前記背板は、前記キャビネットの後部を覆う本体を有し、
前記本体は、前記第二の態様において、前記第一の態様における位置よりも前方に位置する、
キャビネット。
【請求項２】
前記背板は、下部に設けられた第一突起と、上部に設けられた第二突起とを有し、
前記背板の側面視において、前記第一突起と前記第二突起とが回転対称の位置に設けられている、
請求項１に記載のキャビネット。
【発明の詳細な説明】
【技術分野】
【０００１】
本発明は、家屋内や建物内等に設置されるキャビネットに関する。
【背景技術】
【０００２】
各種物品を内部に収納するキャビネットが、家屋内や建物内等に設置されて広く使用されている。
【０００３】
キャビネットに電子機器や映像機器等を収容する場合、収納した機器をコードやケーブル等と接続する必要がある。コード等の余長部分をキャビネット内に配置すると、収納スペースを有効に使えなくなったり、見栄えが悪くなったりする。
【０００４】
この問題に関連して、特許文献１には、背板に複数の切込みを形成し、この背板をキャビネット本体の後端より内方に取り付けることが提案されている。
【先行技術文献】
【特許文献】
【０００５】
【特許文献１】実開昭６３−３３８３６号公報
【発明の概要】
【発明が解決しようとする課題】
【０００６】
特許文献１に係るキャビネットでは、コード等を背板の切込みに通すと、余長部分を背板とキャビネット本体の後端との間の空間に収めることができるため、余長部分がキャビネット本体の収納空間を占有せず、見栄えもよい。
しかし、背板がキャビネット本体の後端より内方に取り付けられているため、背板をキャビネット本体の後端に取り付ける場合に比べると収納スペースは狭くなる。したがって、キャビネットにコード等を接続しないものを収納する場合は、背板とキャビネット本体の後端との間の空間が単なるデッドスペースとなってしまう。
【０００７】
上記事情を踏まえ、本発明は、収納物等に応じて背板の状態を切り替えることができるキャビネットを提供することを目的とする。
【課題を解決するための手段】
【０００８】
本発明は、底板と、底板に取り付けられる右壁及び左壁と、底板に取り付けられる背板と、右壁、左壁、および背板を上方から支持する天板とを備えるキャビネットである。
このキャビネットにおいて、背板は、下部を底板と係合させる第一の態様と、上部を底板と係合させる第二の態様との両方で底板に取り付け可能に構成されている。
背板は、キャビネットの後部を覆う本体を有し、本体は、第二の態様において、第一の態様における位置よりも前方に位置する。
【発明の効果】
【０００９】
本発明によれば、収納物等に応じて背板の状態を切り替えることができるキャビネットを提供できる。
【図面の簡単な説明】
【００１０】
【図１】本発明の一実施形態に係るキャビネットの斜視図である。
【図２】同キャビネットに係る底板の平面図である。
【図３】同キャビネットに係る左壁の右側面図である。
【図４】同キャビネットに係る天板の底面図である。
【図５】同キャビネットに係る背板を前側から見た斜視図である。
【図６】同背板を後側から見た斜視図である。
【図７】（ａ）は、背板を第一の態様で取り付けた同キャビネットの断面図、（ｂ）は、背板を第二の態様で取り付けた同キャビネットの断面図である。
【発明を実施するための形態】
【００１１】
本発明の一実施形態について、図１から図７を参照して説明する。
図１は、本実施形態に係るキャビネット１を示す図である。キャビネット１は、底板１０と、左壁２０と、右壁３０と、天板４０と、背板５０とを備えており、前方から内部空間にアクセスして物品を収納できるように構成されている。
底板１０、左壁２０、右壁３０、天板４０、背板５０の材質は、キャビネット１に収納される物品や要求される強度等を考慮して、樹脂、金属、木材などの各種材料から適宜選択できる。
【００１２】
図２は、底板１０の模式平面図である。底板１０の平面視形状は長方形（正方形を含む。以下同じ）である。底板１０の後部上面には、背板５０と係合するための溝１１が、後辺１２と一定の距離を空けて平行に延びている。溝１１が形成された背板５０の後部上面は、前側よりも一段低くなっている。
【００１３】
左壁２０および右壁３０は、底板１０上に、それぞれ底板１０の左辺１４および右辺１３に沿って取り付けられている。
左壁２０および右壁３０の底板１０への取り付け方法には特に制限はない。例えば、ネジによる固定や、底板に設けた溝に嵌合させる、接着するなどの方法を例示できる。これらの方法が複数組み合わされてもよい。本実施形態では、左壁２０および右壁３０の一部が底板１０に形成された溝１５に進入して嵌合することにより左壁２０および右壁３０が底板１０に固定されている。
【００１４】
図３は、左壁２０の右側面図である。左壁２０において、内部空間側となる右側面２５には、複数の突起２１が形成されている。
右側面２５の後部には、背板係合部２６が形成されている。背板係合部２６は、右側面２５の他の部位よりも一段低く形成されている。背板係合部２６の前後方向中央部には、上下方向に延びる溝２７が形成されている。
【００１５】
図示を省略するが、右壁３０は、左右が反転している点を除き、左壁２０と同一の形状および構造を有する。
右壁３０において内部空間側となる左側面には、突起２１と同様の右側突起（不図示）が複数形成されている。突起２１には、それぞれ対になる一つの右側突起が存在する。対になる突起２１および右側突起は、キャビネット１の上下方向における位置（高さ）および前後方向における位置（奥行）が概ね同一である。
突起２１および右側突起の数や配置は、適宜設定できる。
【００１６】
図４は、天板４０の底面図である。天板４０の底面後部には、後辺４１と略平行に延びる溝４５が形成されている。
完成したキャビネット１において、天板４０は、左壁２０および右壁３０に対して固定される。固定の方法に特に制限はなく、左壁２０および右壁３０を底板１０に取り付ける方法と同様の方法で行える。本実施形態では、左壁２０および右壁３０の一部が天板４０に形成された孔４６に進入して嵌合することにより左壁２０および右壁３０が天板４０に固定されている。
【００１７】
図５は、背板５０を前側から見た斜視図であり、図６は、背板５０を後ろ側から見た斜視図である。背板５０は、キャビネット１の後部を覆う本体５１と、本体５１の周縁から延びる４つの側面とを有する。
本体５１の正面視形状は長方形である。本体５１の周縁からは、下面５２、左面５３、右面５４、および上面５５の側面が前方に延びている。
【００１８】
本体５１は、中央部に略長方形の貫通溝６１を有する。貫通溝６１は、少なくとも一か所で途切れているため、貫通溝６１に囲まれた領域Ｒ１は、本体５１の他の領域から切り離されていない。貫通溝６１の途切れた部分を切断して貫通溝６１を連続させることにより、貫通溝６１に囲まれた領域Ｒ１をくり抜いて、本体５１に穴をあけることができる。貫通溝６１の位置や領域Ｒ１の大きさ等は、適宜設定できる。貫通溝と領域の組が複数設けられてもよい。
【００１９】
左面５３および右面５４の外側の面には、前後方向中央部において上下方向に延びる凸条５６が形成されている。凸条５６は、背板係合部２６に形成された溝２７に進入できる寸法を有する。左面５３および右面５４において、対向する内側の面には、突起２１および右側突起と同様の突起５７が形成されている。
左面５３および右面５４の厚みは、左壁２０および右壁３０において、背板係合部により生じている段差と略同一である。
【００２０】
図６に示すように、下面５２の外側の面の前端部には、左右方向に延びる凸条５８が形成されている。凸条５８（第一突起）は、底板１０に形成された溝１１に進入できる寸法を有する。
図５および図６に示すように、上面５５の外側の面の後端部には、左右方向に延びる凸条５９が形成されている。凸条５９（第二突起）は、天板４０に形成された溝４５に進入できる寸法を有する。
【００２１】
上記の様に構成されたキャビネット１の使用時の動作について説明する。
キャビネット１の組み立て時には、まず底板１０に左壁２０および右壁３０を取り付ける。
【００２２】
次に、背板５０を左壁２０および右壁３０の背板係合部に係合させつつ、背板５０を底板１０に取り付け、その上から天板４０を取り付ける。天板４０により、左壁２０、右壁３０、および背板５０の上部が支持される。
【００２３】
キャビネット１を組み立てる際、背板５０は、二つの態様のいずれかで底板１０に取り付けられる。
第一の態様は、背板５０の上下と底板１０の上下とを一致させた取り付け方である。第一の態様では、下面５２の凸条５８が底板１０の溝１１に進入して係合し、上面５５の凸条５９が天板４０の溝４５に進入する。その結果、図７の（ａ）に示すように、本体５１の位置が底板１０の後端と一致し、キャビネット１の内部に、単一の収納空間が形成される。
【００２４】
第二の態様は、背板５０を上下反転させた状態で底板１０に取り付ける取り付け方である。第二の態様では、下面５２の凸条５８が天板４０の溝４５に進入して係合し、上面５５の凸条５９が底板１０の溝１１に進入する。その結果、図７の（ｂ）に示すように、本体５１の位置が溝１１と一致し、キャビネット１内部の収納空間は、本体５１により、前側の第一空間Ｓｐ１と、後ろ側の第二空間Ｓｐ２とに区切られる。
第二空間Ｓｐ２の寸法は、背板５０における４つの側面の前後方向寸法を変更することにより、容易に変更できる。
【００２５】
第一の態様および第二の態様のいずれにおいても、左面５３および右面５４に形成された凸条５６は、背板係合部２６に形成された溝２７に進入する。これにより、背板５０を取り付けた後に背板５０がキャビネット１の前後方向にずれることが好適に抑制される。凸条５６は、左面５３および右面５４の前後方向中央部に形成されているため、背板５０がいずれの態様でとりつけられても一対の凸条５６の位置は変化しない。したがって、第一の態様および第二の態様のいずれにおいても、溝２７と良好に位置合わせされて凸条５６と溝２７とが係合する。
また、左面５３および右面５４の厚みと背板係合部２６に生じる段差とが略同一の寸法であるため、底板１０に左壁２０、右壁３０、および背板が取り付けられた状態においては、左壁２０、右壁３０の内面と、係合する左面５３および右面５４の内面とが概ね同一面上に位置する。その結果、キャビネット１の左右の内面は、ほぼ段差がない状態となる。加えて、底板１０の前側上面と背板５０の下面５２の上面も、ほぼ段差がない状態となり、第一の態様において、キャビネット１の内面にはほぼ段差がない状態が確保される。
【００２６】
最後に、必要に応じて、図１および図７に示すように、収納空間内に仕切り板７０を設置する。仕切り板７０は、キャビネット１の左右の内面にある突起２１および右側突起に乗せることで、収納空間内に配置できる。第一の態様においては、仕切り板７０を背板５０に形成された突起５７にも支持させることで、仕切り板７０をより安定させて配置できる。仕切り板の数や寸法は、適宜設定できる。
以上により、キャビネット１の組み立てが完了する。使用者は、収納空間内に所望の物品を収納してキャビネット１を使用できる。
【００２７】
背板５０をいずれの態様で取り付けるかは、キャビネット１の用途等に応じて使用者が自由に決定できる。キャビネット１を組み立てた状態で販売する場合は、販売者が決定してもよい。
第一の態様は、収納空間を最大限に利用でき、キャビネットの後側がフラットとなって見栄えが良くなる利点があり、収納する物品の容積が大きい場合や、収納する物品等がコードやケーブル等を必要としない場合に適している。一方、第二の態様では、第二空間Ｓｐ２に、コードやケーブル等の余長部分を配置したり、コードやケーブル等を接続する電源タップやルータ等を配置したりできる利点があり、オーディオ製品等を収納する等の場合に適している。第二態様では必要に応じて本体５１の領域Ｒ１を切り離し、形成された穴にコードやケーブル等を通すことで、余長部分を第二空間Ｓｐ２内に引き出すことができる。
背板を接着しなければ、組み立て後にキャビネット１の一部を分解して第一の態様と第二の態様とを変更することもできる。
【００２８】
以上説明したように、本実施形態のキャビネット１によれば、用途や収納物等に応じて、背板の取り付け態様を選択することで、収納空間を用途等に適した状態に設定できる。
【００２９】
また、背板５０において、底板１０と係合する凸条５８と、天板４０と係合する凸条５９とが、背板５０の側方視において回転対称となる位置に設けられている。そのため、第一の態様と第二の態様において、底板１０と係合する部位および天板４０と係合する部位の位置が変化しない。その結果、底板１０や天板４０に複数の係合部位を形成する必要がなく、構成を簡素にできる。
底板１０と係合する部位および天板４０と係合する部位を回転対称に配置する方法は、上記に限られない。例えば、底板１０と係合する部位および天板４０と係合する部位の両方を背板の前後方向中央部に形成すると、２つの係合部位を回転対称に配置できる。
【００３０】
さらに、底板１０、左壁２０、および右壁３０において、背板５０が取り付けられる後部領域が前側よりも一段低くなっているため、第一の態様で背板５０を取り付けた際に、収納空間の内面に段差が生じない。その結果、収納空間にデッドスペースが生じにくく、効率よく使用できる。
【００３１】
以上、本発明の一実施形態について説明したが、本発明の技術範囲は上記実施形態の記載に限定されるものではなく、本発明の趣旨を逸脱しない範囲において各構成要素に種々の変更を加えたり、削除したりすることが可能である。以下にいくつか変更を例示するが、これらはすべてではなく、それ以外の変更も可能である。これらの変更が適宜組み合わされてもよい。
【００３２】
・第一突起および第二突起は、上記実施形態のようの一方向に連続する凸条である必要はない。例えば、棒状あるいは柱状の単数または複数の突起であってもよい。この場合、溝も突起の形状に合わせて穴などとされてもよい。
・底板にキャスタを取り付けて、移動しやすくしてもよい。
・キャビネットの正面に、扉を設けてもよい。扉は、ガラスの様に透明なものでもよいし、不透明なものでもよい。
・収納空間内面に設けられる突起を取り外し可能とし、突起を取り付け可能な複数の穴を収納空間内面に設けてもよい。
【００３３】
・本発明のキャビネットは、組み立てられた状態で流通してもよいし、組み立てられる前の状態で流通してもよい。
・本発明のキャビネットは、上述した構成を備える限り、上下左右等に他の収納機構が隣接して設けられてもよい。
【符号の説明】
【００３４】
１  キャビネット
１０  天板
２０  左壁
３０  右壁
４０  天板
５０  背板
５１  本体
５８  第一凸条（第一突起）
５９  第二凸条（第二突起）
【要約】
【課題】収納物等に応じて背板の状態を切り替えることができるキャビネットを提供する。
【解決手段】キャビネットは、底板１０と、底板１０に取り付けられる右壁及び左壁と、底板１０に取り付けられる背板５０と、右壁、左壁、および背板５０を上方から支持する天板４０とを備える。背板５０は、下部を底板１０と係合させる第一の態様と、上部を底板１０と係合させる第二の態様との両方で底板１０に取り付け可能に構成されている。
【選択図】図７【図１】
0006647440.tif 000002
【図２】
0006647440.tif 000003
【図３】
0006647440.tif 000004
【図４】
0006647440.tif 000005
【図５】
0006647440.tif 000006
【図６】
0006647440.tif 000007
【図７】
0006647440.tif 000008